(57)【要約】【課題】  温水または冷水がもつ熱エネルギーを効率よく利用する。【解決手段】  居室と居室とを仕切る間仕切壁２０内に二重管１０を縦方向に複数本配設し、二重管１０の内側樹脂管１４の上下端部をヘッダを介して連絡させた建築物における冷暖房間仕切壁の二重管構造を技術的前提として、前記二重管１０は、外側金属管１１の下端開口部に封密材（例えばコーキング材）１６を備える一方、外側金属管１１と内側樹脂管１４との間の隙間に充填砂１７を備える（請求項１）。充填砂１７の温度が調整温度に安定した後は、内側樹脂管１４を流れる温水または冷水の熱損失が少なく、効率の良い間仕切壁２０の温度調整が可能となる。【選択図】    図２
2013174052.tif 000002
【特許請求の範囲】
【請求項１】
居室と居室とを仕切る間仕切壁内に二重管を縦方向に複数本配設し、二重管の内側樹脂管の上下端部をヘッダを介して連絡させた建築物における冷暖房間仕切壁の二重管構造において、
前記二重管は、
外側金属管の下端開口部に封密材を備える一方、
外側金属管と内側樹脂管との間の隙間に充填砂を備えることを特徴とする建築物における冷暖房間仕切壁の二重管構造。
【請求項２】
外側金属管の下端開口部に設ける封密材は、コーキング材であることを特徴とする請求項１記載の建築物における冷暖房間仕切壁の二重管構造。
【発明の詳細な説明】
【技術分野】
【０００１】
本発明は、建築物の冷暖房間仕切壁に係り、とくに間仕切壁の内部に配設する二重管の構造に関する。
【背景技術】
【０００２】
居室と居室との間を仕切る間仕切壁に、冷暖房用の配管を設けて、間仕切壁の輻射熱を利用して冷暖房を行う技術としては、例えば、本出願人が提案した下記特許文献１がある。
【０００３】
これは、図３に示すように、間仕切壁１の内部に二重管５を配し、間仕切壁１の内部に砂８を充填したものである。
【０００４】
二重管５は、外側金属管の内部に耐熱性のある内側樹脂管を配したもので、内側樹脂管に温水または冷水の供給を行うことで、間仕切壁１の温度調整を行い、間仕切壁１の輻射熱を介して夏は居室の冷房、冬は暖房を行う。
【０００５】
コンクリート製である間仕切壁１の輻射熱を利用するので、冬期の暖房時はストーブのような一点集中型の高熱熱源とは異なり、居室内の冷えた空気を急激に暖めることによって生ずる結露の発生を防止できる利点がある。ストーブよりもはるかに低い温度で間仕切壁１の全面が暖かいので、一点から高熱を受けやすいストーブ等の暖房装置に較べ、身体への影響も軽減でき、健康にも良い。
【０００６】
二重管５は、図４に示すように、外側金属管６の内部に耐熱性のある内側樹脂管７を配したものである。内側樹脂管７は、例えば架橋ポリエチレン管を用いることが出来る。そして、冬期暖房時には、ボイラ装置（給湯装置）を介して内側樹脂管７に温水を供給し、夏期冷房時には、内側供給管７に冷水を供給して、間仕切壁１の温度調整によって室内温度を快適な雰囲気温度に保つ。
【０００７】
図５に示すように、間仕切壁１の内部に配する二重管５は、ポンプ装置（図示せず）を介して供給される水の循環経路を作るため、内側樹脂管７の上下端部の隣り合う管同士をヘッダ（連絡管）Ｈを介して連絡する。
【先行技術文献】
【特許文献】
【０００８】
【特許文献１】特開２００９−２２１７５８号
【発明の開示】
【発明が解決しようとする課題】
【０００９】
ところで、特許文献１に係る冷暖房間仕切壁は、ストーブのような一点高熱式の暖房装置と異なり、居室や外壁裏側に結露を生じさせない点で優れているが、冬期暖房時における温水の熱効率、夏期冷房時における冷水の熱効率は、さらに改善する余地を残していた。
【００１０】
そこで、本発明の目的は、温水または冷水がもつ熱エネルギーを、より効率よく利用できるようにする点にある。
【課題を解決するための手段】
【００１１】
前記目的を達成するため、本発明は、居室と居室とを仕切る間仕切壁内に二重管を縦方向に複数本配設し、二重管の内側樹脂管の上下端部をヘッダを介して連絡させた建築物における冷暖房間仕切壁の二重管構造を技術的前提として、前記二重管は、外側金属管の下端開口部に封密材を備える一方、外側金属管と内側樹脂管との間の隙間に充填砂を備える（請求項１）。
【００１２】
本発明に係る間仕切壁の二重管は、外側金属管と内側樹脂管との間の隙間に充填砂を備えるので、内側樹脂管に供給される温水または冷水は、充填砂を介して外側金属管に伝わる。充填砂を介するので、冷暖房の切り替え時には、当該充填砂が暖まったり冷えたりするまでに若干の時間がかかるが、充填砂の温度が調整温度に安定した後は、内側樹脂管を流れる温水または冷水の熱損失が少なく、効率の良い温度調整が可能となる。
【００１３】
外側金属管の下端開口部に設ける封密材は、コーキング材である場合がある（請求項２）。
【００１４】
外側金属管の下端開口部に設ける封密材は、金属製や樹脂製の底蓋であっても良い。しかし、コーキング材を用いれば、二重管の配管作業を終えた後に、外側樹脂管の下端開口を閉じることが出来るため、配管作業の効率を高めることが出来る。
【発明の効果】
【００１５】
本発明に係る二重管によれば、充填砂によって管内部の隙間（空気層）を埋めるので、内側樹脂管を流れる温水または冷水の熱を、充填砂を介して外側金属管に伝達でき、熱エネルギーを効率よく利用することが可能となる。
【図面の簡単な説明】
【００１６】
【図１】実施形態に係る二重管を例示する断面図である。
【図２】図１に示す二重管を間仕切壁に配設した状態を示す断面図である。
【図３】従来の間仕切壁を示す図である。
【図４】従来の二重管を例示する断面図である。
【図５】従来の二重管の配設例を示す図である。
【発明を実施するための形態】
【００１７】
図１は、本発明に係る冷暖房間仕切壁に用いる二重管の構造を例示するものである。この二重管１０は、建築物、例えば、マンションの間仕切壁の内部に配設するもので、外側金属管１１の内部に耐熱性のある内側樹脂管１４を配設してなり、外側金属管１１の下端開口部に封密材、例えばコーキング材１６を設け、外側金属管１１の内部空間と内側樹脂管１４の外周との間の隙間に充填砂１７を設けるものである。
【００１８】
本発明に係る二重管１０は、各種の建築物、例えば木造建築物、中低層階の建築物、高層マンション、オフィスビル等に用いることが出来る。二重管１０は、冷暖房間仕切壁の内部に納めるので、建築物の高さに応じて間仕切壁の高さと二重管１０の長さを設計する。内側樹脂管１４は、不燃性の樹脂素材であることが望ましい。
【００１９】
図２に示すように、間仕切壁２０は、両方の壁面Ｓ１、Ｓ２をコンクリートによって構築する。
【００２０】
例えば、片側の壁面Ｓ１はコンクリートを打設して成形し、他方の壁面Ｓ２は、コンクリートブロックまたはコンクリート板を用いて構築する。
【００２１】
また、間仕切壁２０の内側空間と外側金属管１１の外周との間の隙間は砂２１によって充填し、間仕切壁２０に空気層を作らないようにする。
【００２２】
間仕切壁２０および二重管１０の配設手順は、例えば以下の通りである。まず、一階部分に、間仕切壁２０（Ｓ１、Ｓ２）を作り、一階部分の床材Ｆに孔を設ける等して外側金属管１１を挿通して立ち上げる。このとき、間仕切壁２０の内部に砂２１を充填する。もちろん、間仕切壁２０の構築と外側金属管１１の設置順序は、現場の事情によって適宜変更して構わない。次に、外側金属管１１を上方へ伸ばして、二階の床を構築し、二階部分の間仕切壁２０を作り、二階部分の間仕切壁２０の内部に砂２１を充填する。
【００２３】
これを繰り返して最上階まで間仕切壁２０を作り、その内部に外側金属管１１を配して、最上階まで外側金属管１１を配設する。
【００２４】
次に、外側金属管１１の下端開口から、内側樹脂管１４を差し込んで、内側樹脂管１４を最上階まで到達させ、内側樹脂管１４の上端部を、外側金属管１１の上端開口から突出させる。次いで、内側樹脂管１４の上端と下端をそれぞれヘッダＨを介して連絡し，ポンプ装置から供給される水の循環経路を作る。内側樹脂管１４は、外側金属管１１の上端開口から差し込んで、外側金属管１１の下端開口から突出させても良い。ヘッダＨを介した二重管１０の接続は、従来通り（図５参照）に行って良い。
【００２５】
次に、外側金属管１１の下端開口に封密材、例えばコーキング材１６を設ける。コーキング材１６は、外側金属管１１の下端開口部の隙間を埋めて当該下端開口を封密する。
【００２６】
コーキング材１６を施した後、適当な時間をおいて充填砂１７を二重管１０に充填する。この時の作業は、例えば、外側金属管１１の上端開口から漏斗（じょうご）を使って充填砂１７を注ぎ入れればよい。注ぎ入れる漏斗の位置を適当に変えることで満遍なく充填砂１７を二重管１０の内部空間に入れることが出来る。なお、ヘッダＨを介した内側樹脂管１４の連絡は、充填砂１７の充填後に行っても良いことは勿論である。
【００２７】
充填砂１７の充填作業に前後して、内側樹脂管１４の一端（給水口）に、ポンプ装置（図示せず）に接続させた給水管を接続し、内側樹脂管１４の他端（排水口）をボイラ装置（図示せず）または水冷装置（図示せず）に管接続して、水の循環経路を作る。
【００２８】
従って、かかる二重管１０によれば、内側樹脂管１４を流れる循環温水または循環冷水の熱は、充填砂１７を介して外側金属管１１に伝達される。充填砂１７は、暖房開始直後または冷房開始直後には、設定温度に達するまでに若干の時間を要するが、設定温度に達した後は、内部に熱を蓄えているため、ボイラ装置をオフしても急速な温度低下または温度上昇を起こさない。
【００２９】
そして、外側金属管１１の熱は、間仕切壁２０の内部の砂２１に伝わり、砂２１を暖め、または冷却する。砂２１の熱は、コンクリート製である間仕切壁２０の壁面Ｓ１、Ｓ２に伝わり、壁面Ｓ１、Ｓ２を暖め、または冷却する。砂２１および壁面Ｓ１、Ｓ２は、微小空間をもつので該微小空間が熱の貯留機能を営み、急激な温度変化をみせずに、居室に対して輻射熱を安定供給する。
【００３０】
ストーブのような一点高熱式の暖房装置と異なり、広い面積をもつ間仕切壁２０の全体から、人体に影響のない快適な温熱または冷熱を放出することによって居室内温度を好ましい設定温度に維持するので、急激な温度変化に伴う結露の発生を防止できる。
【００３１】
ストーブのように火気を使う暖房類を使用しなくても、昼夜を問わず、常時、居室温度を好ましい温度に維持しておくことが出来るので、マンションのように多くの世帯が入居している集合住宅では、火災発生の危険性も低減できる。本発明に係る二重管１０は、該二重管１０の内部に充填砂１７を設けたが、充填砂１７がなかった場合に較べて、冷暖房効率は確実に向上した。充填砂１７が、内側樹脂管１４の熱を効果的に外側金属管１１に伝達するからである。冷暖房に要するエネルギー量を削減できるため、ボイラー装置の燃料代、冷却装置の電気代等、設備のランニングコストを確実に低減できる。
【００３２】
本発明に係る二重管構造は、前記説明のものに限定されない。例えば、前記説明では、内側樹脂管１４として例えば架橋ポリエチレン管を使うことが出来る旨説明したが、間仕切壁２０の壁面温度は、厳冬期で２３〜２８℃であれば良く、供給する温水の温度は４０℃〜５０℃以下でも良いことから、その程度の熱に耐える素材であれば、とくに優れた高品位の樹脂管を使用しなくても良い。安全性確保のため、耐熱性に優れる架橋ポリエチレン管や硬質ポリ塩化ビニル管を用いることが望ましいが、９０℃〜１００℃に耐える樹脂管でなくても実用上は問題がない。温水供給による経年劣化がしにくく、耐久性に優れた樹脂管を使用することが望ましい。
【００３３】
外側金属管１１の下端開口部にコーキング材を施す旨説明したが、本発明に係る封密材は、下端開口部を閉塞して充填砂１７の流出を防止する機能を備えれば良いので、金属や樹脂等によって成形した適宜素材の底蓋であっても良い。底蓋は、内側樹脂管１４を挿通させる孔を備えていれば、コーキング材と同様の機能を営む。孔の外周に生じ得る隙間は、例えばコーキング材により封密できる。
【００３４】
外側金属管１１は、いわゆる鉄管等、建築物に使用する通常の給水管を使用できる。
【００３５】
間仕切壁２０は、片側の壁面Ｓ１をコンクリート打設によって成形し、他方の壁面Ｓ２を、コンクリートブロックまたはコンクリート板を用いて構築する旨説明したが、両面をコンクリート打設によって成形しても良いし、両面をコンクリートブロックまたはコンクリート板によって成形しても良い。間仕切壁２０にコンクリートを使用するのは、蓄熱性能と輻射熱の放出機能を得るためである。
【００３６】
隣接させる二重管１０同士の間隔は、例えば２０〜４０ｃｍ程度とする。コーキング材１６としては、適宜のもの、例えばシリコーン系のものを使用できる。コーキング材１６の肉厚は、例えば１０〜２０ｍｍ程度とすることが望ましい。この程度の肉厚があれば長期間にわたって充填砂１７の重量に耐える。
【００３７】
二重管１０としては、例えば、外径５０ｍｍ程度の外側金属管１１と、内径１３ｍｍ程度の内側樹脂管１４によって構成できる。この場合、内側樹脂管１４の外側には、肉厚１０ｍｍ程度の充填砂１７の層が形成される。
【符号の説明】
【００３８】
１０  二重管
１１  外側金属管
１４  内側樹脂管
１６  コーキング材
１７  充填砂
２０  間仕切壁
２１  砂
Ｈ  ヘッダ
Ｓ１、Ｓ２  壁面
Ｆ  床材
【図１】
2013174052.tif 000003
【図２】
2013174052.tif 000004
【図３】
2013174052.tif 000005
【図４】
2013174052.tif 000006
【図５】
2013174052.tif 000007